(57)【特許請求の範囲】
【請求項１】
金型(6)内に保持されたパリソン(7)内に、エア吹込ノズル(5)を介してエアを供給し、前記パリソン(7)の中空成形を行うようにした中空成形機のエア吹込装置において、前記金型(6)の上方に位置する固定部(1)の上部に設けられ回転ねじ(29)を有する電動機(30)と、前記固定部(1)に設けられ出入自在なガイドバー(22)と、前記各ガイドバー(22)に接続され前記エア吹込ノズル(5)が接続された可動板(24)と、前記固定部(1)の下部に設けられ孔(1bA)を有する下部板(1b)と、前記可動板(24)に設けられたナットスタンド(26a)に設けられ前記回転ねじ(29)と螺合するナット(26)と、前記下部板(1b)上に設けられた高さ可変型ストッパ(70)と、前記高さ可変型ストッパ(70)を構成し互いに相対摺動する１対のテーパ型スライダ(80,81)とを有し、前記電動機(30)を介して回転ねじ(29)を回転し、ナット(26)を介してエア吹込ノズル(5)を降下する場合、前記高さ可変型ストッパ(70)に前記ナット(26)を収納した前記ナットスタンド(26a)の鍔(26b)が当接して前記金型(6)に対する前記エア吹込ノズル(5)の打込み高さ位置を可変的に規制するこを特徴とする中空成形機のエア吹込装置。
【請求項２】
前記各テーパ型スライダ(80,81)の何れか一方を前記下部板(1b)に固定し、前記各テーパ型スライダ(80,81)の何れか一方を摺動させる押ボルト(83)を有し、前記押ボルト(83)には前記高さ可変型ストッパ(70)の全高寸法(L)を表示する表示部(83a)を有することを特徴とする請求項１記載の中空成形機のエア吹込装置。
【請求項３】
前記下部板(1b)上に設けられた長手形状の１対のガイドブロック(100,101)と、前記ガイドブロック(100,101)と前記高さ可変型ストッパ(70)との間に設けられた弾性体(103)とを備え、前記高さ可変型ストッパ(70)は前記弾性体(103)により前記下部板(1b)側へ常時付勢されていることを特徴とする請求項１又は２記載の中空成形機のエア吹込装置。
【発明の詳細な説明】
【０００１】
【発明の属する技術分野】
本発明は、中空成形機のエア吹込装置に関し、特に、ナットスタンドの鍔が当接するストッパを高さ可変型とすることにより、エア吹込ノズルの反復打込みにおいてもカットリングが金型のカウンタプレートを押下げることのないように、また、カットリングとカウンタプレート間に隙間が生じることのないようにするための新規な改良に関する。
【０００２】
【従来の技術】
従来、用いられていたこの種の中空成形機のエア吹込装置としては、図４から図６で示されるように特許第２５９９８６４号公報及び特開平８−２８１７８７号公報に開示された構成を挙げることができる。
すなわち、図４及び図５において符号１で示されるものは基台２０に固定して設けられた一対の板１ａ及び下部板１ｂからなる固定部であり、この固定部１に設けられた複数のガイド筒２１には複数のガイドバー２２が上下動自在に設けられていると共に、このガイドバー２２の下端には吹込ノズルホルダ２３を有する可動板２４が一体状に取付けられている。
前記吹込ノズルホルダ２３の下部には、エア吹込ノズル５が設けられていると共に、このエア吹込ノズル５の下方位置には、一対の金型部６ａ，６ｂからなる金型６が配設され、この金型６内に位置するパリソン７には前記エア吹込ノズル５を介してエアが吹込めるように構成されている。
前記可動板２４の上部には、前記下部板１ｂの孔１ｂＡを貫通した状態でストッパ２５を有するナット２６がナットスタンド２６ａ及びロックナット２６Ａを介して一体状に設けられており、このストッパ２５は前記孔１ｂＡよりも大径に構成されている。
【０００３】
前記板１ａ上には電動機３０が設けられ、この電動機３０の回転軸２７にはスラストベアリング２８を介してボールねじ等からなる回転ねじ２９が一体状に接続されていると共に、この回転ねじ２９は前記ナット２６を貫通して螺合している。従って、前記回転ねじ２９の回転によりナット２６を介して可動板２４が矢印Ａに沿って上下動する構成である。
従来の中空成形機のエア吹込装置は、以上のように構成されており、以下にその動作についてのべる。まず、金型６を型開し、この金型６のキャビティ６Ａ内に、図示しない成形機から押し出された筒状のパリソン７を位置させ、この金型６を型閉した状態で、電動機３０を作動させると、回転ねじ２９の回転によってナット２６及び可動板２４を介してエア吹込ノズル５が垂下し、その先端５ａがパリソン７の上端に挿入することにより打ち込みを完了する。
前述の状態で、エア源（図示せず）から圧縮エアがパリソン７内に供給され、金型６内で中空成形が行われる。この中空成形が行われた後、金型６の型開を行うと、中空成形による成形品を取り出すことができる。
また、前記モータ３０によるエア吹込ノズル５の挿入（打込）速度は、成形品の形状、樹脂の種類等により最適なデータをあらかじめ取り込み、制御部４０のメモリ（図示せず）内に記憶されており、このメモリからの前記データによってモータ３０の回転を自在に記憶制御して前記速度を自在に調整するため、操作者が従来のように感に頼って操作することを必要とせず、スイッチ操作のみにより最適な挿入を行うことができるものである。また、ストッパ２５と下部板１ｂの当接によりエア吹込ノズル５の下降位置を容易に設定することができる。
【０００４】
なお、前述の吹込ノズルホルダ２３は、前述の特開平８−２８１７８７号公報に開示されているように、ノズル調節装置を用いた構成も提案されている。
すなわち、このノズル調節装置２３は図６で示されるように構成されており、ノズル調節装置２３は、合わせ面が傾斜面とされた上部・下部テーパプレート５０，５１と、下部テーパプレート５１の下部に相接して設けられたナット５２と、上部・下部テーパプレート５０，５１とノズル用ナット５２を後述する弾性部材としてのスプリング５３を介して下部板１ｂに取付けるブロック５４とからなっている。前記ナット５２の下部には、エア吹込ノズル５が螺合され、ノズル用ロックナット５５で固定されている。
このブロック５４の上側部には、前記上部テーパプレート５０を水平方向にスライドさせる上部調節ボルト５６用の穴５７が設けられ、下側部には、前記ノズル用ナット５２を水平方向にスライドさせる下部調節ボルト５８用の長穴５９が設けられている。前記下部テーパプレート５１は、ブロック５４に上下方向に摺動自在に設けられている。また、上部調節ボルト５６により、上部テーパプレート５０を水平方向に摺動して、下部テーパプレート５１を上下方向に摺動するために、前記ブロック５４とノズル用ナット５２間には隙間Ｓが設けられている。この隙間Ｓには、前記ナット５２を下部テーパプレート５１に常に接触させ、かつ上部テーパプレート５０が極力小さな力で摺動するように弾性部材としての複数のスプリング５３が設けられている。また、両テーパプレート５０，５１の合せ面には極力小さな力で摺動するように、例えば硬質クロームメッキなどの表面処理がなされている。
【０００５】
次に上述したエア吹込ノズル調節装置２３の動作について説明する。
エア吹込ノズル５の芯を、その下方位置に配設された金型６の口部の芯に合わせるには、ブロック５４の下側部に設けられた下部調節ボルト５８によって、ノズル用ナット５２を水平方向にスライドさせて行う。また、エア吹込ノズル５の高さの調節は、ブロック５４の上側部に設けられた上部調節ボルト５６によって、前記上部テーパプレート５０を水平方向にスライドさせて行う。
従って、前記ノズル調節装置２３によってエア吹込ノズル５の高さの調節を行った後に、電動機３０により回転ねじ２９を回転させると、ナット２６にナットスタンド２６ａを介して一体接続の可動板２４及び吹込エアノズル５が急速降下し、図７のように、カットリング６０が金型６のカウンタプレート６１に当接することによって、成形品６２の口部６３の上バリ６４が切断される。
【０００６】
【発明が解決しようとする課題】
従来の中空成形機のエア吹込装置は、以上のように構成されていたため、次のような課題が存在していた。すなわち、
前述のようにエア吹込ノズルの成形品への打込みを反復していると、ストッパ２５とロックナット２６Ａがゆるみ、カットリング６０とカウンタプレート６１との間に隙間が発生すると、上バリ６４の喰切りが不良となり、成形品の歩留まりに重大な影響が発生していた。このため、図８で示すように、このような事態が発生した場合には、引掛スパナ７０によってストッパ２５のロックナット２６Ａを回転して高さ調節していたが、ガイド筒２１が障害となって引掛スパナ７０が回動しにくく、その作業は困難を極めていた。
【０００７】
本発明は、以上のような課題を解決するためになされたもので、特に、ナットスタンドの鍔が当接するストッパを高さ可変型とすることにより、エア吹込ノズルの反覆打込みにおいてもカットリングが金型のカウンタプレートを押し下げることのないように、また、カットリングとカウンタプレート間に隙間が生じることのないようにした中空成形機のエア吹込装置を提供することを目的とする。
【０００８】
【課題を解決するための手段】
本発明による中空成形機のエア吹込装置は、金型内に保持されたパリソン内に、エア吹込ノズルを介してエアを供給し、前記パリソンの中空成形を行うようにした中空成形機のエア吹込装置において、前記金型の上方に位置する固定部の上部に設けられ回転ねじを有する電動機と、前記固定部に設けられ出没自在なガイドバーと、前記各ガイドバーに接続され前記エア吹込ノズルが接続された可動板と、前記固定部の下部に設けられ孔を有する下部板と、前記可動板に設けられたナットスタンドに設けられ前記回転ねじと螺合するナットと、前記下部板上に設けられた高さ可変型ストッパと、前記高さ可変型ストッパを構成し互いに相対摺動する１対のテーパ型スライダとを有し、前記電動機を介して回転ねじを回転し、ナットを介してエア吹込ノズルを降下する場合、前記高さ可変型ストッパに前記ナットを収納したナットスタンドの鍔が当接して前記金型に対する前記エア吹込ノズルの打込み高さ位置を可変的に規制する構成であり、また、前記各テーパ型スライダの何れか一方を前記下部板に固定し、前記各テーパ型スライダの何れか一方を摺動させる押ボルトを有し、前記押ボルトには前記高さ可変型ストッパの全高寸法を表示する表示部を有する構成であり、さらに、前記下部板上に設けられた長手形状の１対のガイドブロックと、前記ガイドブロックと前記高さ可変型ストッパとの間に設けられた弾性体とを備え、前記高さ可変型ストッパは前記弾性体により前記下部板側へ常時付勢されている構成である。
【０００９】
【発明の実施の形態】
以下、図面と共に本発明による中空成形機のエア吹込装置の好適な実施の形態について説明する。なお、従来例と同一又は同等部分には同一符号を付して説明する。
すなわち、図１において符号１で示されるものは基台２０に固定して設けられた一対の板１ａ、下部板１ｂからなる固定部であり、この固定部１に設けられた複数のガイド筒２１には複数のガイドバー２２が上下方向に出入自在に設けられていると共に、このガイドバー２２の下端には図６の従来説明と同様にノズル調整装置（説明は省略する）である吹込ノズルホルダ２３を有する可動板２４が一体状に取付けられている。
前記吹込ノズルホルダ２３の下部には、エア吹込ノズル５が設けられていると共に、このエア吹込ノズル５の下方位置には、一対の金型部６ａ，６ｂからなる金型６が配設され、この金型６内に位置するパリソン７には前記エア吹込ノズル５を介してエアが吹込めるように構成されている。なお、このノズル調整装置２３は、従来説明のように、エア吹込ノズル５の芯や位置等を調整するもので、用いないこともある。
【００１０】
前記可動板２４の上部には、前記下部板１ｂの孔１ｂＡを貫通した状態でナット２６がナットスタンド２６ａを介して一体状に設けられており、このナット２６は固定ボルト２００によりナットスタンド２６ａと一体状に設けられている。前記板１ａ上には制御部４０により制御される電動機３０が設けられ、この電動機３０の回転軸２７にはスラストベアリング２８を介してボールねじ等からなる回転ねじ２９が一体状に接続されていると共に、この回転ねじ２９は前記ナット２６を貫通して螺合している。従って、前記回転ねじ２９の回転によりナット２６を介して可動板２４が矢印Ａに沿って上下動する構成である。なお、前記ナット２６と下部板１ｂとの間には、この下部板１ｂ上に固定されその全高Ｌを可変とすることができる高さ可変型ストッパ７０が設けられている。
また、前記ノズル調整装置２３の下部に設けられたエア吹込ノズル５のカットリング６０は、１対の金型部６ａ，６ｂからなる金型６のカウンタプレート６１に当接するように構成されており、金型６内で型締されたパリソン７内には、図示しないエア駆動源からのエアがエア吹込ノズル５を介して供給され、中空成形ができるように構成されている。
【００１１】
前記高さ可変型ストッパ７０は、図２及び図３で示すように構成されており、前記下部板１ｂ上には１対の第１、第２テーパ型スライダ８０，８１が相対摺動自在に設けられている。前記第２テーパ型スライダ８１には、前記下部板１ｂ上で直接摺動するように設けられていると共にその第１支持片８２に設けられた押ボルト８３及び引ボルト８４によって矢印Ｂ，Ｃの方向に自在に移動することができるように設けられ、この第１テーパ型スライダ８１上に第２テーパ型スライダ８０が設けられていると共に、この第２テーパ型スライダ８０の端部８０ａに設けられた締付ボルト８６は、前記下部板１ｂ上に植立された第２支持片８５のＵ溝８５ａ内に上下動自在に保持されている。この第２テーパ型スライダ８０の上面には前記ナット２６を収納したナットスタンド２６ａの鍔２６ｂが当接しており、各スライダ８０，８１は図３の平面図でみられるようにＵ型に形成されて互いに対向し、中央部にナットスタンド２６ａを貫通して前記孔１ｂＡに連通する穴９０が形成されている。前記第１テーパ型スライダ８０の上面の各側部には、断面逆Ｌ型をなす長手形状の１対のガイドブロック１００，１０１が配設されて取付ボルト１０２によって前記下部板１ｂ上に固定され、このガイドブロック１００，１０１と第１テーパ型スライダ８０との間にはバネ、スプリング等からなる弾性体１０３が介挿されて各スライダ８０，８１が下部板１ｂ側に隙間等が発生することがないように常時付勢されている。なお、ノズル調節装置２３は用いない場合もある。また、ロックナット３００で固定可能な前記押ボルト８３には、全高寸法Ｌを示すダイヤル式等の周知の表示部８３ａが設けられている。
【００１２】
本発明による中空成形機のエア吹込装置は、以上のように構成されており、以下にその動作についてのべる。まず、高さ可変型ストッパ７０の各スライダ８０，８１の位置を調整して、エア吹込ノズル５のカットリング６０とカウンタプレート６１とが上バリ６４を切断するのに好適な当接状態となるようにその全高寸法Ｌを調整した後、金型６を型開し、この金型６のキャビティ６Ａ内に、図示しない成形機から押し出された筒状のパリソン７を位置させ、エア吹込ノズル５の下方位置にこの金型６を型閉した状態で金型６を移動させた後、電動機３０を作動させると、回転ねじ２９の回転によってナット２６及び可動板２４を介してエア吹込ノズル５が垂下し、その先端５ａがパリソン７の上端に挿入することにより打ち込みを完了する。同時に上バリ６４は従来の図７と同様にカットリング６０とカウンタプレート６１によって切断される。
前述の状態で、エア源（図示せず）から圧縮エアがパリソン７内に供給され、金型６内で中空成形が行われる。この中空成形が行われた後、金型６の型開を行うと、中空成形による成形品を取り出すことができる。
また、前記モータ３０によるエア吹込ノズル５の挿入（打込）速度は、成形品の形状、樹脂の種類等により最適なデータをあらかじめ取り込み、制御部４０のメモリ（図示せず）内に記憶されており、このメモリからの前記データによってモータ３０の回転を自在に記憶制御して前記速度を自在に調整するため、操作者が従来のように感に頼って操作することを必要とせず、スイッチ操作のみにより最適な挿入を行うことができるものである。
なお、前述のエア吹込ノズル５の打込み作業において、カットリング６０とカウンタプレート６１による上バリ６４の切断状態が悪化した場合には、成形機の動作を停止させることなく、押ボルト８３又は引ボルト８４によって第２テーパ型スライダ８１を摺動させることにより、その全高寸法Ｌが変更され、自在に調整することができる。また、この形態においては、第１テーパ型スライダ８０を非摺動で上下動のみとし、第２テーパ型スライダー８１を摺動するように構成した場合について述べたが、この構成と逆の構成とした場合も前述と同じ作用効果を得ることができる。
【００１３】
【発明の効果】
本発明による中空成形機のエア吹込装置は、以上のように構成されているため、次のような効果を得ることができる。すなわち、固定部の下部板上に設けられたストッパがその全高寸法を自在に変えることができる高さ可変型ストッパで構成され、打込み時におけるカットリングとカウンタプレートとの当接位置関係を自在に変更することができ、エア吹込ノズルの下降点の確実な位置決め、良好なバリ切断、ヒゲなし、カウンタプレート及びカットリングの寿命向上、調整作業時間の短縮化、オペレータの熟練度を問わず何人も作業可等の効果を奏することができる。
【図面の簡単な説明】
【図１】本発明による中空成形機のエア吹込装置を示す構成図である。
【図２】図１の要部を示す拡大詳細図である。
【図３】図２の平面図である。
【図４】従来のエア吹込装置を示す構成図である。
【図５】図４の側面図である。
【図６】図４の要部を示す拡大断面図である。
【図７】上バリの切断状態を示す断面図である。
【図８】従来の調節時の状態を示す構成図である。
【符号の説明】
１    固定部
１ｂＡ    孔
１ｂ    下部板
５    エア吹込ノズル
６    金型
７    パリソン
２２    ガイドバー
２４    可動板
２６    ナット
２６ｂ    鍔
２６ａ    ナットスタンド
２９    回転ねじ
３０    電動機
７０    高さ可変型ストッパ
８０，８１    テーパ型スライダ
８３    押ボルト
８３ａ    表示部
Ｌ    全高寸法
１００，１０１    ガイドブロック
１０３    弾性体
【図１】
0003741399.tif 000002
【図２】
0003741399.tif 000003
【図３】
0003741399.tif 000004
【図４】
0003741399.tif 000005
【図５】
0003741399.tif 000006
【図６】
0003741399.tif 000007
【図７】
0003741399.tif 000008
【図８】
0003741399.tif 000009